(57)【要約】【課題】  購入等の対象になっている記録媒体に記録されている実演コンテンツの実演家に関する実演家関連情報の取得が容易になる移動体通信端末、情報提供サーバ及び情報提供方法を提供する。【解決手段】  情報提供サーバ４０は、実演家が実演して得られた実演コンテンツが記録された記録媒体のパッケージを撮像した画像情報を移動体通信端末（携帯電話機）１０から受信し、その受信した画像情報に基づいて実演家を特定する。情報提供サーバ４０は、上記特定された実演家に関する実演家関連情報を提供するＷＥＢコンテンツの接続先情報を、移動体通信端末１０に送信する。【選択図】  図８
2008035428.tif 000002
【特許請求の範囲】
【請求項１】
通信ネットワークを介してサーバと通信可能な移動体通信端末であって、
実演家が実演して得られた実演コンテンツが記録された記録媒体のパッケージを撮像する撮像手段と、
上記撮像手段で撮像した上記パッケージの画像情報を情報提供サーバに送信する送信手段と、
上記画像情報に基づいて特定された実演家に関する実演家関連情報を提供するＷＥＢコンテンツの接続先情報を、上記情報提供サーバから受信する受信手段と、
を備えたことを特徴する移動体通信端末。
【請求項２】
通信ネットワークを介して移動体通信端末と通信可能な情報提供サーバであって、
実演家が実演して得られた実演コンテンツが記録された記録媒体のパッケージの画像情報を、移動体通信端末から受信する受信手段と、
上記移動体通信端末から受信した画像情報に基づいて実演家を特定する実演家特定手段と、
上記特定された実演家に関する実演家関連情報を提供するＷＥＢコンテンツの接続先情報を、上記移動体通信端末に送信する送信手段と、
を備えたことを特徴とする情報提供サーバ。
【請求項３】
通信ネットワークを介して移動体通信端末に情報を提供する情報提供方法であって、
実演家が実演して得られた実演コンテンツが記録された記録媒体のパッケージを撮像した画像情報を移動体通信端末から受信するステップと、
上記移動体通信端末から受信した画像情報に基づいて実演家を特定するステップと、
上記特定された実演家に関する実演家関連情報を提供するＷＥＢコンテンツの接続先情報を、上記移動体通信端末に送信するステップと、
を含むことを特徴とする情報提供方法。
【発明の詳細な説明】
【技術分野】
【０００１】
本発明は、携帯電話機等の移動体通信端末、その移動体通信端末に情報を提供する情報提供サーバ及び情報提供方法に関するものである。
【背景技術】
【０００２】
従来、音楽用ＣＤ−ＤＡ（Compact Disc Digital Audio）や映画のＤＶＤ−ＲＯＭ等の実演コンテンツを記録した記憶媒体を購入したりレンタルしたりする際、その店舗で、購入対象として考えている音楽用ＣＤ−ＤＡ（以下、「音楽ＣＤ」という。）に記録されている音楽のアーティスト（実演家）に関するアーティスト情報（実演家関連情報）を調べたい場合がある。この実演家関連情報を参考にして音楽ＣＤやＤＶＤ−ＲＯＭ等を購入することができる。上記実演家関連情報を店舗で調べるには、例えば携帯電話機からインターネット上で公開されているアーティストのＷＥＢページにアクセスすることが考えられる。
【発明の開示】
【発明が解決しようとする課題】
【０００３】
しかしながら、上記アーティストのＷＥＢページに携帯電話機からアクセスするときは、煩雑な作業が必要であった。例えば、調べたいアーティストをキーワードとして検索してＷＥＢページにアクセスしたり、音楽ＣＤのパッケージ等に記載されているＵＲＬの情報（接続先情報）を手入力してＷＥＢページにアクセスしたりするといった、煩雑な作業が必要であった。
【０００４】
本発明は以上の問題点に鑑みなされたものであり、その目的は、購入等の対象になっている記録媒体に記録されている実演コンテンツの実演家に関する実演家関連情報の取得が容易になる移動体通信端末、情報提供サーバ及び情報提供方法を提供することである。
【課題を解決するための手段】
【０００５】
上記目的を達成するために、請求項１の発明は、通信ネットワークを介してサーバと通信可能な移動体通信端末であって、実演家が実演して得られた実演コンテンツが記録された記録媒体のパッケージを撮像する撮像手段と、上記撮像手段で撮像した上記パッケージの画像情報を情報提供サーバに送信する送信手段と、上記画像情報に基づいて特定された実演家に関する実演家関連情報を提供するＷＥＢコンテンツの接続先情報を、上記情報提供サーバから受信する受信手段と、を備えたことを特徴する移動体通信端末。
また、請求項２の発明は、通信ネットワークを介して移動体通信端末と通信可能な情報提供サーバであって、実演家が実演して得られた実演コンテンツが記録された記録媒体のパッケージの画像情報を、移動体通信端末から受信する受信手段と、上記移動体通信端末から受信した画像情報に基づいて実演家を特定する実演家特定手段と、上記特定された実演家に関する実演家関連情報を提供するＷＥＢコンテンツの接続先情報を、上記移動体通信端末に送信する送信手段と、を備えたことを特徴とするものである。
また、請求項３の発明は、通信ネットワークを介して移動体通信端末に情報を提供する情報提供方法であって、実演家が実演して得られた実演コンテンツが記録された記録媒体のパッケージを撮像した画像情報を移動体通信端末から受信するステップと、上記移動体通信端末から受信した画像情報に基づいて実演家を特定するステップと、上記特定された実演家に関する実演家関連情報を提供するＷＥＢコンテンツの接続先情報を、上記移動体通信端末に送信するステップと、を含むことを特徴とするものである。
【発明の効果】
【０００６】
本発明によれば、購入等の対象になっている記録媒体のパッケージを撮像し、そのパッケージの画像情報を情報提供サーバに送信することにより、その実演コンテンツの実演家に関する実演家関連情報を提供するＷＥＢコンテンツの接続先情報を取得することができる。この接続先情報を利用して上記実演家関連情報を提供するＷＥＢコンテンツを取得できるため、上記実演家関連情報を提供するＷＥＢコンテンツの接続先情報の検索や手入力を行う場合に比して、実演家関連情報の取得が容易になるという効果がある。
【発明を実施するための最良の形態】
【０００７】
以下、図面を参照して本発明の実施の形態について説明する。
図１は本実施形態に係る通信システム全体の概略構成の一例を示す説明図である。この通信システムは、移動体通信端末としての携帯電話機１０と、移動体通信事業者によって管理されている通信ネットワークとしての携帯電話通信網２０とを用いて構成されている。携帯電話通信網２０は、基地局２０１や図示しない交換機（回線交換機、パケット交換機）等を備え、図示しないゲートウェイサーバを介してインターネット３０等の他の通信ネットワークに接続されている。また、携帯電話通信網２０及びインターネット３０にはそれぞれ情報提供サーバ４０やＷＥＢサーバ４１が接続されている。ＷＥＢサーバ４１は、各種ＷＥＢコンテンツのほか、そのＷＥＢコンテンツの要約情報や更新情報も提供する。上記ＷＥＢコンテンツには、音楽及び映像等の実演コンテンツのアーティスト（実演家）に関する実演家関連情報のＷＥＢコンテンツも含まれる。情報提供サーバ４１は、携帯電話機からの要求に応じて、実演コンテンツの実演家であるアーティストに関する実演家関連情報を提供するＷＥＢコンテンツの接続先情報であるＵＲＩ（Uniform Resource Identifier）の情報を提供する。なお、情報提供サーバ４０はインターネット３０側に設けてもいいし、また、ＷＥＢサーバ４１は携帯電話通信網２０側に設けてもよい。これらのサーバから携帯電話機１０にコンテンツをダウンロードするときには、ネットワークの各階層において所定の通信プロトコルが用いられる。例えば、ＷＥＢサーバからＷＥＢページをダウンロードするときのアプリケーション層の通信プロトコルとしては、ＨＴＴＰ（HyperText Transfer Protocol）が用いられる。
【０００８】
図２は、上記サーバ４０、４１のハードウェア構成の一例を示すブロック図である。このサーバ４０は、システムバス４００、ＣＰＵ４０１、内部記憶装置、外部記憶装置４０４、入力装置４０５、出力装置４０６、及びインターネット用通信装置４０７を備えている。上記内部記憶装置は、ＲＡＭ４０２やＲＯＭ４０３等で構成されている。上記外部記憶装置は、ハードディスクドライブ（ＨＤＤ）や光ディスクドライブ等で構成されている。上記入力装置４０５は、マウスやキーボード等で構成されている。上記出力装置４０６は、ディスプレイやプリンタ等で構成されている。上記通信装置４０７は、所定の通信プロトコルにより、携帯電話通信網２０を介して他の携帯電話機や他のサーバと通信したり、インターネット３０上の各種クライアント端末や他のサーバと通信したりするための装置である。
【０００９】
上記ＣＰＵ４０１やＲＡＭ４０２等の構成要素はお互いに、システムバス４００を介して、データやプログラムの命令等のやり取りを行っている。このサーバ４０を所定の手順に従って動作させるためのプログラムはＲＯＭ４０３や外部記憶装置４０４に記憶されており、必要に応じてＣＰＵ４０１やＲＡＭ４０２上の作業エリアに呼び出されて実行される。
【００１０】
また、上記サーバ４０、４１はそれぞれ一部又は全体を専用の制御装置として構成してもいいし、一部又は全体を汎用のコンピュータシステムを用いて構成してもよい。また、サーバ４０、４１はそれぞれ、１台のコンピュータで構成してもいいし、複数の機能をそれぞれ受け持つ複数台のコンピュータをネットワークで結んで構成してもよい。
【００１１】
図３は、本実施形態に係る情報提供サーバ４０の主要な機能を抽出して示した機能ブロック図である。情報提供サーバ４０は、記憶手段４１０と受信手段４１１と送信手段４１３とを備えている。この情報提供サーバ４０は、ＣＰＵ等からなるハードウェア上で所定のプログラムを実行することにより、上記各手段の機能を実現している。
【００１２】
上記記憶手段４１０は、上記内部記憶装置や外部記憶装置で構成され、音楽ＣＤなどの各種記録媒体に記録されている実演コンテンツのアーティストに関する実演家関連情報を提供するＷＥＢコンテンツの接続先情報を記憶している。この接続先情報は、例えばＷＥＢコンテンツのＵＲＩ（Uniform Resource Identifier）であり、アーティストの識別情報をキーにして検索できるようにアーティストの識別情報と対応付けて記憶されている。また、記憶手段４１０は、携帯電話機１０から受信したパッケージの画像情報からアーティストを特定するときに用いるデータを記憶している。
【００１３】
上記受信手段４１１は、上記ＣＰＵ４０１や通信装置４０７等で構成され、音楽ＣＤ等のパッケージを撮像した携帯電話機１０から、上記ＷＥＢコンテンツの接続先情報の取得要求（ＨＴＴＰリクエスト）を受信する取得要求受信手段として用いられる。この取得要求は、携帯電話機１０で撮像された音楽ＣＤ等のパッケージの画像情報を含む。
【００１４】
上記実演家特定手段４１２は、上記ＣＰＵ４０１等で構成され、携帯電話機１０から受信したパッケージの画像情報に基づいて、そのパッケージに対応するアーティストを特定する。このアーティストの特定には、パッケージの画像から文字情報を抽出する文字認識エンジンや、パッケージ画像のデータベースを用いてパッケージ画像からアーティストを直接特定する画像認識エンジンを用いることができる。
【００１５】
上記送信手段４１３は、上記ＣＰＵ４０１や通信装置４０７等で構成され、上記取得要求（ＨＴＴＰリクエスト）に対応する取得応答（ＨＴＴＰレスポンス）を携帯電話機１０に送信する送信手段として用いられる。この取得応答は、実演コンテンツのアーティストに関する実演家関連情報を提供するＷＥＢコンテンツの接続先情報（ＵＲＩ）を含む。
【００１６】
図４は、ＷＥＢサーバ４１の構成例を示す機能ブロック図である。ＷＥＢサーバ４１は、記憶手段４１５と受信手段４１６と送信手段４１７とを備えている。このＷＥＢサーバ４１は、ＣＰＵ等からなるハードウェア上で所定のプログラムを実行することにより、上記各手段の機能を実現している。
【００１７】
上記記憶手段４１５は、上記内部記憶装置や外部記憶装置で構成され、携帯電話機１０で受信可能な各種ＷＥＢコンテンツのデータや、そのＷＥＢコンテンツの要約情報や更新情報のデータを記憶している。上記ＷＥＢコンテンツには、前述の実演コンテンツのアーティストに関する実演家関連情報を提供するＷＥＢページが含まれる。
【００１８】
上記受信手段４１６は、上記ＣＰＵ４０１や通信装置４０７等で構成され、上記記憶手段４１５に記憶されている複数種類のＷＥＢコンテンツやそのＷＥＢコンテンツの要約情報や更新情報を要求する取得要求（ＨＴＴＰリクエスト）を携帯電話機１０から受信する。上記取得要求には、アーティストに関する実演家関連情報を提供するＷＥＢページを要求する取得要求が含まれる。
【００１９】
上記送信手段４１７は、上記ＣＰＵ４０１や通信装置４０７等で構成され、上記取得要求に基づいて選択されたＷＥＢコンテンツのデータや、そのＷＥＢコンテンツの要約情報のデータを移動体通信端末１０に送信する。
【００２０】
上記ＷＥＢコンテンツの要約情報のデータは、例えばＲＳＳと呼ばれるフォーマットで送受信することができる。このＲＳＳは、ＷＥＢサーバ（ＷＥＢサイト）で提供されるＷＥＢコンテンツの見出し、要約、更新情報等のメタデータを構造化して記述するＸＭＬ（Extensible Markup Language）ベースのフォーマットである。ＲＳＳはいくつかのバージョン（RSS0.9X, RSS1.0, RSS2.0, Atom）が存在し、バージョンごとに「Rich Site Summary」、「Really Simple Syndication」、「RDF Site Summary」という正式名称で呼ばれている。このＲＳＳフォーマットで記述された文書は「ＲＳＳフィード」と呼ばれ、ＲＳＳフィードを受信して表示するソフトウェアは「ＲＳＳリーダ」と呼ばれている。ＷＥＢコンテンツが更新されると、その更新された旨及び更新後のＷＥＢコンテンツの要約情報をＲＳＳフィードとして送信することができる。上記ＷＥＢコンテンツの要約情報としては、例えば、携帯電話機で再生している音楽や映像のコンンテンツに関連したタイトル、ディスクリプション、情報取得サイト情報（ＵＲＬ）、アーティスト情報、作品紹介情報、ＣＤリリース情報、ライブ開催情報等の情報を送信することができる。
【００２１】
図５は携帯電話機１０の一構成例を示す外観図であり、図６は、その携帯電話機１０のハードウェア構成の一例を示す概略構成図である。携帯電話機１０は、クラムシェル（折り畳み）タイプの携帯電話機であり、システムバス１００、ＣＰＵ１０１、ＲＡＭ１０２やＲＯＭ１０３等の記憶装置、入力装置１０４、出力装置１０５及び携帯電話通信網用通信装置１０６を備えている。ＣＰＵ１０１やＲＡＭ１０２等の構成要素は、システムバス１００を介して、互いに各種データやプログラムの命令等のやり取りを行っている。
【００２２】
上記ＣＰＵ１０１は、上記記憶装置から所定のプログラムを読み込んで実行することにより、ネイティブ側の電話機プラットフォームの基本ソフトＯＳ上で、音声通話機能や、アプリケーションソフト（以下「アプリケーション」という。）による各種機能を実現することができる。このアプリケーションによる機能としては、ＲＳＳリーダを組み込んだメディアプレーヤ、合体ファイル解凍、ＷＥＢブラウザ、メーラー、外部装置とのデータ送受信、アドレス帳管理、スケジューラ、メモ帳等がある。
【００２３】
また、上記ＣＰＵ１０１は、上記記憶装置から所定のプログラムを読み込んで実行することにより、ネイティブ側の電話機プラットフォーム１５１上でアプリケーションを実行するためのアプリケーション実行環境を構築することができる。そして、このアプリケーション実行環境上で、携帯電話機１０にプリインストールされているアプリケーションや、利用者がダウンロードして登録したアプリケーション等の各種アプリケーションを実行することができる。このアプリケーションとして、実演コンテンツを再生して出力するメディアプレーヤのアプリケーションを実行することができる。
【００２４】
上記入力装置１０４は、データ入力キー（テンキー、＊キー、＃キー）１１、通話開始キー１２、終話キー１３、スクロールキー１４、多機能キー１５、マイク１６等から構成されている。この入力装置１０４のテンキー１１、通話開始キー１２、終話キー１３等により、利用者が操作可能な操作部が構成される。この操作部を操作することにより、利用者は、携帯電話機１０に対してコンテンツ取得先のＵＲＬ等のデータを入力したり、電話着信の際に通話の開始及び終了を行ったり、アプリケーションの選択、起動及び停止を行ったりすることができる。また、利用者は上記操作部を操作することにより、上記サーバ４０，４１から実演コンテンツ、アプリケーションプログラム等のコンテンツをダウンロードして登録することができる。また、利用者は上記操作部を操作することにより、好みのスキンコンテンツを指定し、メディアプレーヤを起動したときのユーザインターフェース画面をディスプレイに表示することができる。そして、このユーザインターフェース画面を表示した状態で上記操作部を操作することにより、利用者が指定した実演コンテンツを再生することができる。
【００２５】
上記出力装置１０５は、表示手段である液晶ディスプレイ（ＬＣＤ）１７、音出力手段であるスピーカ１８等から構成され、各種コンテンツや情報を出力する出力手段として機能する。上記液晶ディスプレイ（ＬＣＤ）１７やスピーカ１８等からなる出力装置等で構成されている出力部は、携帯電話通信網２０を介して受信したＷｅｂページを液晶ディスプレイ（ＬＣＤ）１７に表示したり、携帯電話通信網２０から情報を着信した旨を利用者に知らせたりするときに用いられる。具体的には、その情報を着信すると、出力部の液晶ディスプレイ（ＬＣＤ）１７に着信報知画像を表示したり、スピーカ１８から着信音を出力させたりする。なお、上記スピーカ１８は、通話中の音声を聞くための受話器用スピーカ（レシーバ）と、着信音や音楽などを出力する外部出力用スピーカとを別々に設けて構成してもいいし、これらの受話器用スピーカ及び外部出力用スピーカを兼用するように一つのスピーカで構成してもよい。
【００２６】
上記携帯電話通信網用通信装置１０６は、変復調器、シンセサイザ、周波数変換器，高周波増幅器などにより構成され、携帯電話通信網２０を介して他の携帯電話機や上記サーバ４０，４１等と通信するときに用いられる。この携帯電話通信網用通信装置１０６は、携帯電話通信網２０を介して他の携帯電話機とメールのやり取りを行ったり、携帯電話通信網２０からゲートウェイサーバを介して、インターネット等の外部の通信ネットワークに接続し、インターネット上での電子メールのやり取り等を行ったりするための通信手段として用いられる。更に、この携帯電話通信網用通信装置１０６は、携帯電話通信網１０を介して、サーバ４０，４１が提供する各種情報やコンテンツをダウンロードしたり、現在位置の位置情報を含む配信情報を受信したりする受信手段としても用いられる。
【００２７】
上記カメラ１０７は、結像体がＣＣＤであるＣＣＤカメラや、ＣＭＯＳ（Complementary Metal Oxide Semiconductor）カメラなどの、デジタル方式の小型カメラを用いて構成され、各種画像を撮像するときに用いられる。
【００２８】
図７は、本実施形態に係る携帯電話機１０の主要な機能を抽出して示した機能ブロック図である。この携帯電話機１０は、接続先情報取得手段１１０とＷＥＢコンテンツ取得手段１１１と記憶手段１１２と撮像手段１１３とを有する。
【００２９】
上記接続先情報取得手段１１０は上記通信装置１０６等で構成され、ＨＴＴＰ等の所定の通信プロトコルを用いて携帯電話通信網２０を介した通信を行う。この接続先情報取得手段１１０は、音楽ＣＤ等のパッケージの画像情報を情報提供サーバ４０に送信する送信手段と、上記画像情報に基づいて特定されたアーティストに関する実演家関連情報を提供するＷＥＢコンテンツの接続先情報を、上記情報提供サーバ４０から受信する受信手段とにより構成される。
【００３０】
上記ＷＥＢコンテンツ取得手段１１１は上記通信装置１０６等で構成され、ＨＴＴＰ等の所定の通信プロトコルを用いて携帯電話通信網２０を介した通信を行う。このＷＥＢコンテンツ取得手段１１１は、情報提供サーバ４０から取得した接続先情報に基づいてＷＥＢサーバ４１にアクセスし希望するアーティストに関する実演家関連情報のＷＥＢコンテンツを要求する取得要求を送信する送信手段と、その取得要求に応じてＷＥＢサーバ４１から送信された実演家関連情報のＷＥＢコンテンツを受信する受信手段とにより構成される。
【００３１】
上記記憶手段１１２は上記ＲＡＭ１０２やＲＯＭ１０３等の記憶装置により構成され、上記接続先情報取得手段１１０で取得した上記接続先情報を記憶する。この接続先情報は、上記ＷＥＢコンテンツ取得手段１１１によって読み出される。また、この記憶手段１１２は、撮像手段１１３で撮像した音楽ＣＤのパッケージ画像等の画像データを記憶することもできる。
【００３２】
上記撮像手段１１３は上記カメラ１０７等で構成され、利用者の操作による指示内容に従って画像を撮像する。この撮像手段１１３は、音楽等の実演コンテンツが記録された音楽ＣＤ等の記録媒体のパッケージを撮像するときに用いられる。
【００３３】
図８は、音楽ＣＤの店舗やレンタルショップにおいて、上記構成の携帯電話機１０を用いて購入対象やレンタル対象の音楽ＣＤのアーティスト情報を取得するときのシーケンス図である。
まず、利用者は、携帯電話機１０を操作することにより、購入対象又はレンタル対象の音楽ＣＤのパッケージを撮像し、そのパッケージの画像情報（イメージファイル）を記憶手段としての内部メモリに保存する（Ｓ１）。次に、利用者がメニューからアーティスト情報の取得のための「サーバアクセス」を選択する（Ｓ２）と、携帯電話機１０は、上記撮像したパッケージの画像情報とともに、上記購入対象又はレンタル対象の音楽ＣＤのアーティスト情報を提供しているＷＥＢコンテンツの接続先情報（ＵＲＩ情報）を取得するための取得要求を、情報提供サーバ４０に送信する（Ｓ３）。情報提供サーバ４０は、携帯電話機１０から受信した取得要求に応じて、パッケージの画像情報に基づきアーティストを特定する（Ｓ４）とともに、アーティストのＷＥＢコンテンツに関するデータベースを検索し、該当するアーティスト情報を提供しているＷＥＢコンテンツの接続先情報を抽出する（Ｓ５）。情報提供サーバ４０は、検索して得られた接続先情報を携帯電話機１０に送信する（Ｓ６）。
【００３４】
上記接続先情報を受信した携帯電話機１０は、その接続先情報に対応するＷＥＢサーバ４１にアクセスするための自動アクセス処理が実行される（Ｓ７）。この自動アクセス処理により、携帯電話機１０は、利用者が希望するアーティスト関連情報を取得するための取得要求をＷＥＢサーバ４１に送信する（Ｓ８）。ＷＥＢサーバ４１は、携帯電話機１０から受信した取得要求に応じて、アーティスト関連情報のＷＥＢコンテンツを携帯電話機１０に送信する（Ｓ９）。携帯電話機１０は、ブラウザー等を起動し、ＷＥＢサーバ４１から受信したアーティスト関連情報のコンテンツを表示する（Ｓ１０）。利用者は、表示されたアーティスト関連情報を見て、音楽ＣＤの購入やレンタルを行うときの参考にすることができる。
【００３５】
以上、本実施形態によれば、携帯電話機１０の簡易な操作により、購入やレンタル等の対象になっている音楽ＣＤに記録されている音楽（実演コンテンツ）のアーティストに関するアーティスト関連情報を取得できる。
【００３６】
以上、本発明の好ましい実施形態を説明したが、本発明の範囲又は精神から逸脱することなく、特許請求の範囲に記載された技術的事項の範囲内において、開示した実施形態に種々の変更を加えることができる。
【００３７】
例えば、本発明は、音楽ＣＤのパッケージに限定されることなく様々な記録媒体のパッケージを撮像して実演家関連情報を取得する場合にも適用できる。また、本発明は、音楽の実演家であるアーティストの関連情報を取得する場合に限定されることなく、音楽以外の映画等の実演コンテンツの実演家に関連した実演者関連情報、例えば映画の出演者、声優、監督等に関連した情報を取得する場合にも適用できる。
【００３８】
また、本発明は、携帯電話機に限定することなく様々な移動体通信端末に適用することができる。すなわち、本発明における「移動体通信端末」としては、ＰＤＣ（Personal Digital Cellular）方式、ＧＳＭ（Global System for Mobile Communication）方式、ＴＩＡ（Telecommunications Industry Association）方式等の携帯電話機、ＩＭＴ（International Mobile Telecommunications）−２０００で標準化された携帯電話機、ＴＤ−ＳＣＤＭＡ（Time Division Synchronous Code Division Multiple Access）方式の一つであるＴＤ−ＳＣＤＭＡ（ＭＣ：Multi Carrier）方式の携帯電話機、ＰＨＳ（Personal Handyphone System）、自動車電話機、固定電話機等の通話機能を有する電話機が挙げられる。また、この「移動体通信端末」としては、上記電話機のほか、通話機能を有するＰＤＡ（Personal Digital Assistance）等の通信端末も挙げられる。
【００３９】
また、上記移動体通信端末やサーバにおける処理・制御は、それらに設けられたコンピュータで所定のプログラムを実行することによって実現することもできる。このコンピュータで用いるプログラムの受け渡しは、デジタル情報としてプログラムを記録したＦＤ，ＣＤ−ＲＯＭ等の記録媒体を用いて行なってもいいし、コンピュータネットワーク等の通信ネットワークを用いて行なってもよい。
【図面の簡単な説明】
【００４０】
【図１】本発明の実施形態に係る通信システムの概略構成図。
【図２】サーバのハードウェア構成のブロック図。
【図３】情報提供サーバの機能ブロック図。
【図４】ＷＥＢサーバの能ブロック図。
【図５】携帯電話機の外観図。
【図６】携帯電話機のハードウェア構成のブロック図。
【図７】携帯電話機の機能ブロック図。
【図８】携帯電話機を用いて購入対象やレンタル対象の音楽ＣＤのアーティスト情報を取得するときのシーケンス図。
【符号の説明】
【００４１】
１０    携帯電話機
２０    携帯電話通信網
３０    インターネット
４０，４１    サーバ
１１０    接続先情報取得手段
１１１    ＷＥＢコンテンツ取得手段
１１２    記憶手段
１１３    撮像手段
４１０    記憶手段
４１１    受信手段
４１２    実演家特定手段
４１３    送信手段
【図１】
2008035428.tif 000003
【図２】
2008035428.tif 000004
【図３】
2008035428.tif 000005
【図４】
2008035428.tif 000006
【図５】
2008035428.tif 000007
【図６】
2008035428.tif 000008
【図７】
2008035428.tif 000009
【図８】
2008035428.tif 000010